(57)【要約】【課題】建設機械の情報を管理すること。【解決手段】  建設機械管理システム１０は、建設機械を一意に特定するための識別情報と、建設機械に関する情報と、建設機械の状態を示す状態情報を含んだ建設機械情報を記録した記憶装置と、建設機械に表示された表示媒体を読み取って、識別情報を特定する識別情報特定手段と、識別情報特定手段によって特定された識別情報に基づいて、建設機械情報を特定する建設機械情報特定手段と、建設機械情報特定手段によって特定された建設機械情報に含まれる状態情報に基づいて建設機械の状態を特定し、特定した建設機械の状態に応じた建設機械に関する情報を更新するための更新情報を取得する更新情報取得手段と、更新情報取得手段によって取得された更新情報を用いて、建設機械に関する情報を更新する更新手段とを備えることを特徴とする。【選択図】図１
2018032134.tif 000002
【特許請求の範囲】
【請求項１】
建設機械を一意に特定するための識別情報と、前記建設機械に関する情報と、前記建設機械の状態を示す状態情報を含んだ建設機械情報を記録した記憶装置と、
前記建設機械に表示された表示媒体を読み取って、前記識別情報を特定する識別情報特定手段と、
前記識別情報特定手段によって特定された識別情報に基づいて、前記建設機械情報を特定する建設機械情報特定手段と、
前記建設機械情報特定手段によって特定された前記建設機械情報に含まれる前記状態情報に基づいて前記建設機械の状態を特定し、特定した前記建設機械の状態に応じた前記建設機械に関する情報を更新するための更新情報を取得する更新情報取得手段と、
前記更新情報取得手段によって取得された前記更新情報を用いて、前記建設機械に関する情報を更新する更新手段とを備えることを特徴とする建設機械管理システム。
【請求項２】
請求項１に記載の建設機械管理システムにおいて、
前記建設機械の状態は、前記建設機械が搬入されることを示す搬入状態、前記建設機械が搬出されることを示す搬出状態、前記建設機械の他の所在地への移動が指示されたことを示す移動指示状態、前記建設機械が災害活動に利用されていることを示す災害活動状態を含むことを特徴とする建設機械管理システム。
【請求項３】
請求項２に記載の建設機械管理システムにおいて、
前記更新情報取得手段は、前記建設機械の状態が前記搬入状態である場合には、前記建設機械が搬入された場所の位置情報と、搬入時に前記建設機械を撮像した画像データとを前記更新情報として取得し、
前記更新手段は、前記建設機械が搬入された場所の位置情報と、搬入時に前記建設機械を撮像した搬入時の画像データを前記建設機械に関する情報に追加して、前記建設機械に関する情報を更新することを特徴とする建設機械管理システム。
【請求項４】
請求項２または３に記載の建設機械管理システムにおいて、
前記更新情報取得手段は、前記建設機械の状態が前記搬出状態である場合には、前記建設機械が搬出された場所の位置情報と、搬出時に前記建設機械を撮像した画像データとを前記更新情報として取得し、
前記更新手段は、前記建設機械が搬出された場所の位置情報と、搬出時に前記建設機械を撮像した画像データを前記建設機械に関する情報に追加して、前記建設機械に関する情報を更新することを特徴とする建設機械管理システム。
【請求項５】
請求項２〜４のいずれか一項に記載の建設機械管理システムにおいて、
前記更新情報取得手段は、前記建設機械の状態が前記移動指示状態である場合には、前記建設機械の移動が指示された移動先の位置情報を前記更新情報として取得し、
前記更新手段は、前記建設機械の移動が指示された移動先の位置情報を前記建設機械に関する情報に追加して、前記建設機械に関する情報を更新することを特徴とする建設機械管理システム。
【請求項６】
請求項２〜５のいずれか一項に記載の建設機械管理システムにおいて、
前記更新情報取得手段は、前記建設機械の状態が前記災害活動状態である場合には、前記建設機械を利用した災害活動内容が報告された災害活動報告情報を前記更新情報として取得し、
前記更新手段は、前記災害活動報告情報を前記建設機械に関する情報に追加して、前記建設機械に関する情報を更新することを特徴とする建設機械管理システム。
【請求項７】
請求項１〜６のいずれか一項に記載の建設機械管理システムにおいて、
前記建設機械の状態の変更指示を受け付ける状態変更指示受付手段と、
前記状態変更指示受付手段によって、前記建設機械の状態の変更指示を受け付けたときに、前記建設機械情報に含まれる前記状態情報を変更する状態変更手段とをさらに備えることを特徴とする建設機械管理システム。
【請求項８】
請求項１〜７のいずれか一項に記載の建設機械管理システムにおいて、
前記建設機械情報特定手段によって特定された前記建設機械情報を表示部材に表示する表示手段をさらに備えることを特徴とする建設機械管理システム。
【発明の詳細な説明】
【技術分野】
【０００１】
本発明は、建設機械管理システムに関する。
【背景技術】
【０００２】
次のような建設機械における情報管理システムが知られている。この建設機械における情報管理システムでは、携帯端末で建設機械上で表示されるバーコードを端末で読み取って、機械情報を管理サーバに送信し、建設機械の機械情報を取得することができる（例えば、特許文献１）。
【先行技術文献】
【特許文献】
【０００３】
【特許文献１】特開２０１３−３７６１９号公報
【発明の概要】
【発明が解決しようとする課題】
【０００４】
建設機械は、使用する現場へ移動して利用されるため、建設機器が現在どのような状態にあるのかを特定して、利用状況を管理する必要があった。また、建設機械の情報を最新の状態で維持するためには、建設機械の状態に応じて、建設機械に関する情報を更新する必要があった。しかしながら、従来の建設機械における情報管理システムでは、建設機械の状態に応じた建設機械に関する情報を更新するための方法については、何ら検討されていなかった。
【課題を解決するための手段】
【０００５】
本発明による建設機械管理システムは、建設機械を一意に特定するための識別情報と、建設機械に関する情報と、建設機械の状態を示す状態情報を含んだ建設機械情報とを関連付けて記録した記憶装置と、設機械に表示された表示媒体を読み取って、識別情報を特定する識別情報特定手段と、識別情報特定手段によって特定された識別情報に基づいて、建設機械情報を特定する建設機械情報特定手段と、建設機械情報特定手段によって特定された建設機械情報に含まれる状態情報に基づいて建設機械の状態を特定し、特定した建設機械の状態に応じた建設機械に関する情報を更新するための更新情報を取得する更新情報取得手段と、更新情報取得手段によって取得された更新情報を用いて、建設機械に関する情報を更新する更新手段とを備えることを特徴とする。
【発明の効果】
【０００６】
本発明によれば、建設機械の状態に応じた更新情報を取得して、建設機械に関する情報を更新することができるため、建設機械の状態に応じた建設機械に関する情報の更新が可能となる。
【図面の簡単な説明】
【０００７】
【図１】建設機械管理システム１０の一実施の形態の構成を示すブロック図である。
【図２】携帯端末１００の一実施の形態の構成を示すブロック図である。
【図３】受付サーバ２００の一実施の形態の構成を示すブロック図である。
【図４】建設機械管理装置３００の一実施の形態の構成を示すブロック図である。
【図５】管理者端末４００の一実施の形態の構成を示すブロック図である。
【図６】携帯端末１００で実行される処理の流れを示すフローチャート図である。
【図７】受付サーバ２００で実行される処理の流れを示すフローチャート図である。
【図８】建設機械管理装置３００で実行される第一の処理の流れを示すフローチャート図である。
【図９】建設機械管理装置３００で実行される第二の処理の流れを示すフローチャート図である。
【図１０】管理者端末４００で実行される処理の流れを示すフローチャート図である。
【発明を実施するための形態】
【０００８】
図１は、本実施の形態における建設機械管理システム１０の一実施の形態の構成を示すブロック図である。建設機械管理システム１０は、携帯端末１００と、受付サーバ２００と、建設機械管理装置３００と、管理者端末４００とで構成される。
【０００９】
携帯端末１００は、建設機械が配置されている配置場所のユーザーが所持する端末であって、例えば、タブレット端末やスマートフォンなどの携帯端末が用いられる。受付サーバ２００と建設機械管理装置３００は、インターネットに接続されたサーバ装置である。本実施の形態では、携帯端末１００は、受付サーバ２００へ接続して通信を行い、受付サーバ２００は建設機械管理装置３００と通信することにより、携帯端末１００は、受付サーバ２００を窓口として、建設機械管理装置３００からデータを取得することができる。管理者端末４００は、建設機械管理システム１０の管理者が操作する端末であって、例えばパソコンが用いられる。管理者端末４００はインターネットなどの通信回線を介して、建設機械管理装置３００と接続される。
【００１０】
図２は、本実施の形態における携帯端末１００として、タブレット端末を用いた場合の一実施の形態の構成を示すブロック図である。本実施の形態では、タブレット端末に、以下に説明する処理を実行するための携帯端末用ソフトウェアがインストールされることにより、本実施の形態における携帯端末１００として動作する。なお、携帯端末用ソフトウェアのプログラムは、インターネットを介して接続されたサーバ上で公開されることにより提供され、携帯端末１００のユーザーがこれをダウンロードにより入手し、携帯端末１００にあらかじめインストールされているものとする。あるいは、携帯端末用ソフトウェアのプログラムは、ＣＤ−ＲＯＭやＤＶＤ−ＲＯＭ等の記録媒体に記録されて提供されるようにしてもよい。
【００１１】
携帯端末１００は、タッチパネル１０１と、通信モジュール１０２と、ＧＰＳモジュール１０３と、制御装置１０４と、カメラ１０５を備えている。
【００１２】
タッチパネル１０１は、液晶パネル等の表示装置とタッチパッドのような位置入力装置を組み合わせた電子部品であり、画面上の表示を押すことで機器を操作することができる入力装置である。例えば、携帯端末１００のユーザーは、液晶パネル上に表示されたボタンやメニュー等の表示項目を指やタッチペンを用いてタッチまたはスライドさせることにより、携帯端末１００を操作することができる。タッチパネル１０１は、ユーザーによるタッチやスライドといった操作を検出して、その検出信号を制御装置１０４へ出力する。
【００１３】
通信モジュール１０２は、無線または有線により、ＬＡＮや携帯電話通信網を介して携帯端末１００をインターネットに接続させるためのモジュールを含む。携帯端末１００は、通信モジュール１０２を介してインターネットに接続することにより、受付サーバ２００と通信を行うことができる。
【００１４】
ＧＰＳモジュール１０３は、ＧＰＳ衛星と通信を行って、ＧＰＳ衛星から現在位置を特定するための測位情報を受信するためのモジュールであり、ＧＰＳ衛星と通信を行うためのアンテナや制御回路等が含まれる。
【００１５】
制御装置１０４は、ＣＰＵ、メモリ、およびその他の周辺回路によって構成され、携帯端末１００の全体を制御する。なお、制御装置１０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、携帯端末１００を動作させるためのファームウェアや種々のアプリケーションを動作させるためのソフトウェアのプログラムデータが記録される。本実施の形態では、この不揮発性のメモリに、上述した携帯端末用ソフトウェアのプログラムが記録されている。
【００１６】
カメラ１０５は、レンズ、撮像素子、その他周辺回路によって構成される公知の撮像装置である。
【００１７】
図３は、本実施の形態における受付サーバ２００の一実施の形態の構成を示すブロック図である。受付サーバ２００は、接続インターフェース２０１と、制御装置２０２と、記憶媒体２０３とを備えている。
【００１８】
接続インターフェース２０１は、受付サーバ２００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、受付サーバ２００は、この接続インターフェース２０１を介して、携帯端末１００や建設機械管理装置３００と通信する。
【００１９】
制御装置２０２は、ＣＰＵ、メモリ、およびその他の周辺回路によって構成され、受付サーバ２００の全体を制御する。なお、制御装置２０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース２０１を介して読み込まれたデータは、バッファメモリに一時的に記録される。
【００２０】
記憶媒体２０３は、受付サーバ２００が蓄える種々のデータや、制御装置２０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体２０３にインストールすることによって、制御装置２０２がプログラムを実行できるようになる。
【００２１】
図４は、本実施の形態における建設機械管理装置３００の一実施の形態の構成を示すブロック図である。建設機械管理装置３００は、接続インターフェース３０１と、制御装置３０２と、記憶媒体３０３とを備えている。
【００２２】
接続インターフェース３０１は、建設機械管理装置３００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、建設機械管理装置３００は、この接続インターフェース３０１を介して、受付サーバ２００や管理者端末４００と通信する。
【００２３】
制御装置３０２は、ＣＰＵ、メモリ、およびその他の周辺回路によって構成され、建設機械管理装置３００の全体を制御する。なお、制御装置３０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース３０１を介して読み込まれたデータは、バッファメモリに一時的に記録される。
【００２４】
記憶媒体３０３は、建設機械管理装置３００が蓄える種々のデータや、制御装置３０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体３０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体３０３にインストールすることによって、制御装置３０２がプログラムを実行できるようになる。
【００２５】
図５は、本実施の形態における管理者端末４００の一実施の形態の構成を示すブロック図である。管理者端末４００は、操作部材４０１と、接続インターフェース４０２と、制御装置４０３と、記憶媒体４０４と、表示装置４０５とを備えている。
【００２６】
操作部材４０１は、管理者端末４００の操作者によって操作される種々の装置、例えばキーボードやマウスを含む。
【００２７】
接続インターフェース４０２は、管理者端末４００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、管理者端末４００は、この接続インターフェース４０２を介して建設機械管理装置３００と通信する。
【００２８】
制御装置４０３は、ＣＰＵ、メモリ、およびその他の周辺回路によって構成され、管理者端末４００の全体を制御する。なお、制御装置４０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース４０２を介して読み込まれたデータは、バッファメモリに一時的に記録される。
【００２９】
記憶媒体４０４は、管理者端末４００が蓄える種々のデータや、制御装置４０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体４０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体４０４にインストールすることによって、制御装置４０３がプログラムを実行できるようになる。
【００３０】
表示装置４０５は、例えば液晶モニタであって、制御装置４０３から出力される種々の
表示用データが表示される。
【００３１】
本実施の形態にける建設機械管理システム１０では、ショベルカー、ブルドーザ、クレーンなどの建設機械を対象とし、各建設機械には、二次元バーコードが表示された表示媒体が貼付されている。二次元バーコードは、二次元バーコードを読み取った端末にアクセスさせるアクセス先サーバのアドレス情報と、建設機械を一意に特定するための識別情報とを含んでいる。本実施の形態では、アクセス先サーバのアドレス情報として、受付サーバ２００のＵＲＬ情報が含まれる。また、建設機械を一意に特定するための識別情報としては、建設機械ＩＤが含まれる。
【００３２】
本実施の形態では、携帯端末１００は、ユーザーによって撮影された二次元バーコードを読み取ることができる。制御装置１０４は、ユーザーによって二次元バーコードを被写体とした撮影が行われると、カメラ１０５から入力される画像データ内から二次元バーコードを認識し、二次元バーコードを、その二次元バーコードが示すデータに変換する。これによって、制御装置１０４は、受付サーバ２００へアクセスするためのＵＲＬ情報と、二次元バーコードが貼られていた建設機械の建設機械ＩＤを特定することができる。
【００３３】
制御装置１０４は、二次元バーコードのデータに基づいて、受付サーバ２００のＵＲＬ情報と、建設機械ＩＤを特定すると、特定したＵＲＬ情報に基づいて、受付サーバ２００にアクセスし、受付サーバ２００との間で通信を開始する。受付サーバ２００との通信に成功すると、未ログイン状態の場合には、タッチパネル１０１にログイン画面が表示される。制御装置１０４は、ログイン画面上でユーザーからのログインＩＤとパスワードの入力を受け付け、入力されてログインＩＤとパスワードを受付サーバ２００へ送信する。なお、ログインＩＤとパスワードは、ユーザーごとにあらかじめ発行されており、ログインＩＤとパスワードの組は、建設機械管理装置３００の記憶媒体３０３に認証用データとして記録されているものとする。
【００３４】
受付サーバ２００では、制御装置２０２は、携帯端末１００からログインＩＤとパスワードを受信すると、受信したログインＩＤとパスワードの組を建設機械管理装置３００へ送信する。建設機械管理装置３００では、制御装置３０２は、受付サーバ２００から受信したログインＩＤとパスワードの組が、記憶媒体３０３に記録されている認証用データ内に存在するかを判定することにより、ユーザー認証を行う。制御装置３０２は、ユーザー認証に成功した場合には、ユーザーのログインを許可し、受付サーバ２００へ通知する。受付サーバ２００では、制御装置２０２は、建設機械管理装置３００からユーザーのログインを許可する旨の通知を受けた場合には、携帯端末１００による建設機械管理システム１０の利用を許可する。
【００３５】
携帯端末１００の制御装置１０４は、建設機械管理システム１０へのログインに成功した後、上述した処理で特定した建設機械ＩＤを受付サーバ２００へ送信する。受付サーバ２００では、制御装置２０２は、携帯端末１００から建設機械ＩＤを受信すると、受信した建設機械ＩＤを建設機械管理装置３００へ送信する。建設機械管理装置３００では、制御装置３０２は、受付サーバ２００から建設機械ＩＤを受信すると、あらかじめ記憶媒体３０３に記録されている建設機械情報データベースから、該当する建設機械ＩＤの建設機械情報を読み出す。
【００３６】
本実施の形態では、建設機械情報データベースには、建設機械を一意に特定するための識別情報、すなわち建設機械ＩＤと、建設機械に関する情報と、建設機械の状態を示す状態情報を含んだ建設機械情報が記録されている。
【００３７】
本実施の形態では、建設機械の状態として、建設機械が配置場所に搬入されることを示す搬入状態、建設機械が配置場所から搬出されることを示す搬出状態、建設機械の配置場所を変更するために、他の配置場所への移動が指示されたことを示す移動指示状態、建設機械が災害活動に利用されていることを示す災害活動状態の各状態を想定する。このため、状態情報には、搬入状態を示す情報、搬出状態を示す情報、移動指示状態を示す情報、災害活動状態を示す情報が含まれる。
【００３８】
建設機械は、通常利用時は、所定の配置場所に配置され、利用時には配置場所から搬出され、利用が終了すると配置場所に搬入される。このため、通常利用時は、後述するように、管理者端末４００からの指示に基づいて、状態情報は搬出状態と搬入状態が繰り返し設定される。また、建設機械を他の配置場所へ移動させる場合には、後述するように、管理者端末４００からの指示に基づいて、状態情報は移動指示状態に設定される。また、建設機械を災害活動に利用する場合には、後述するように、管理者端末４００からの指示に基づいて、状態情報は災害活動状態に設定される。
【００３９】
また、建設機械に関する情報としては、建設機械の名称（機材名）、建設機械が利用される業務の名称（業務名）、建設機械の現在の所在地を示す現在位置情報、建設機械の移動が指示された場合に指定される移動先を示す移動先位置情報、建設機械に関する画像データ、建設機械に関して報告された報告データが含まれる。
【００４０】
制御装置３０２は、受付サーバ２００から受信した建設機械ＩＤに基づいて、その建設機械の建設機械情報を特定し、特定した建設機械情報を受付サーバ２００へ送信する。受付サーバ２００では、制御装置２０２は、建設機械管理装置３００から受信した建設機械情報を携帯端末１００へ送信する。
【００４１】
携帯端末１００では、制御装置１０４は、受付サーバ２００から建設機械情報を受信すると、受信した建設機械情報をタッチパネル１０１に表示する。このとき、制御装置４０１は、建設機械情報に含まれる状態情報に応じて、表示画面を切り替える。
【００４２】
制御装置１０４は、状態情報が搬入状態を示す情報である場合には、機材名、業務名、建設機械の現在位置情報、画像データを表示した搬入用画面をタッチパネル１０１に表示する。また、制御装置１０４は、状態情報が搬出状態を示す情報である場合も、搬入状態の場合と同様に、機材名、業務名、建設機械の現在位置情報、画像データを表示した搬出用画面をタッチパネル１０１に表示する。また、制御装置１０４は、状態情報が移動指示状態を示す情報である場合には、機材名、業務名、建設機械の現在位置情報、建設機械の移動先位置情報を表示した移動指示用画面をタッチパネル１０１に表示する。また、制御装置１０４は、状態情報が災害活動状態を示す情報である場合には、機材名、業務名、画像データを表示した災害活動用画面をタッチパネル１０１に表示する。
【００４３】
これによって、携帯端末１００のユーザーは、建設機械に貼られている二次元バーコードを読み取ることによって、その建設機械の建設機械情報を把握することができる。また、上述したように、建設機械情報に含まれる状態情報に応じて、表示画面が切り替わるため、ユーザーは、二次元バーコードを読み取った建設機械の状態に応じた情報を把握することができる。
【００４４】
なお、制御装置１０４は、建設機械に関する情報に含まれる現在位置情報や移動先位置情報を表示するに当たっては、位置を示す緯度経度情報に基づいて、建設機械の現在位置周辺または移動先周辺の地図データを取得し、地図上に建設機械の現在位置や移動先を示すマークを表示するようにしてもよい。これによって、ユーザーは、地図上で建設機械の現在位置や移動先を確認することができる。
【００４５】
制御装置１０４はまた、受信した建設機械情報に含まれる状態情報に応じて、建設機械に関する情報を更新するための処理を行う。制御装置１０４は、受信した建設機械情報に含まれる状態情報が搬入状態を示す情報である場合には、上述した搬入用画面上で操作者から位置情報取得指示を受け付けると、ＧＰＳモジュール１０３から現在位置の位置情報を取得し、タッチパネル１０１上に現在位置を示した地図を表示する。このとき、ユーザーは、必要に応じて地図上に表示された現在位置を補正することができる。制御装置１０４は、ユーザーによって地図上で現在位置が補正された場合には、ＧＰＳモジュール１０３から取得した現在位置の位置情報を補正後の位置情報で更新する。
【００４６】
また、制御装置１０４は、搬入用画面上で操作者から撮影指示を受け付けると、カメラ１０５を起動してユーザーに建設機械の写真を撮影するように促す。制御装置１０４は、ユーザーによって建設機械の写真が撮影されると、その画像データをメモリに記録する。
【００４７】
制御装置１０４は、特定した現在位置の位置情報を搬入場所の位置情報とし、撮影された画像データを建設機械の搬入時の画像データとして、これらの情報と搬入された建設機械の建設機械ＩＤとを含んだ更新情報を受付サーバ２００へ送信する。
【００４８】
受付サーバ２００では、制御装置２０２は、携帯端末１００から受信した更新情報を建設機械管理装置３００へ送信する。建設機械管理装置３００では、制御装置３０２は、受付サーバ２００から更新情報を受信すると、建設機械情報データベースに記録されている建設機械情報の中から建設機械ＩＤが更新情報に含まれる建設機械ＩＤと一致する建設機械情報を特定し、特定した建設機械情報の建設機械に関する情報に含まれる建設機械の現在位置情報と建設機械に関する画像データを、更新情報に含まれる搬入場所の位置情報と搬入時の画像データで更新する。これによって、建設機械が配置場所に搬入されたときに、建設機械情報に搬入場所の位置情報と搬入時の画像データを追加して、建設機械の最新の所在地と画像を管理することが可能となる。
【００４９】
制御装置１０４は、受信した建設機械情報に含まれる状態情報が搬出状態を示す情報である場合には、上述した搬出用画面上で操作者から位置情報取得指示を受け付けると、ＧＰＳモジュール１０３から現在位置の位置情報を取得し、タッチパネル１０１上に現在位置を示した地図を表示する。このとき、ユーザーは、必要に応じて地図上に表示された現在位置を補正することができる。制御装置１０４は、ユーザーによって地図上で現在位置が補正された場合には、ＧＰＳモジュール１０３から取得した現在位置の位置情報を補正後の位置情報で更新する。
【００５０】
また、制御装置１０４は、搬出用画面上で操作者から撮影指示を受け付けると、カメラ１０５を起動してユーザーに建設機械の写真を撮影するように促す。制御装置１０４は、ユーザーによって建設機械の写真が撮影されると、その画像データをメモリに記録する。
【００５１】
制御装置１０４は、特定した現在位置の位置情報を搬出場所の位置情報とし、撮影された画像データを建設機械の搬出時の画像データとして、これらの情報と搬出された建設機械の建設機械ＩＤとを含んだ更新情報を受付サーバ２００へ送信する。
【００５２】
受付サーバ２００では、制御装置２０２は、携帯端末１００から受信した更新情報を建設機械管理装置３００へ送信する。建設機械管理装置３００では、制御装置３０２は、受付サーバ２００から更新情報を受信すると、建設機械情報データベースに記録されている建設機械情報の中から建設機械ＩＤが更新情報に含まれる建設機械ＩＤと一致する建設機械情報を特定し、特定した建設機械情報の建設機械に関する情報に含まれる建設機械の現在位置情報と建設機械に関する画像データを、更新情報に含まれる搬出場所の位置情報と搬出時の画像データで更新する。これによって、建設機械が配置場所から搬出されるときに、建設機械情報に搬出場所の位置情報と搬出時の画像データを追加して、建設機械の最新の所在地と画像を管理することが可能となる。
【００５３】
制御装置１０４は、受信した建設機械情報に含まれる状態情報が移動指示状態を示す情報である場合には、ユーザーからの建設機械の移動が完了したことを示す入力を受け付けると、移動が完了した建設機械の建設機械ＩＤと移動が完了したことを示す情報とを含む更新情報を受付サーバ２００へ送信する。
【００５４】
受付サーバ２００では、制御装置２０２は、携帯端末１００から受信した更新情報を建設機械管理装置３００へ送信する。建設機械管理装置３００では、制御装置３０２は、受付サーバ２００から更新情報を受信すると、建設機械情報データベースに記録されている建設機械情報の中から建設機械ＩＤが更新情報に含まれる建設機械ＩＤと一致する建設機械情報を特定し、特定した建設機械情報の建設機械に関する情報に含まれる建設機械の現在位置情報を建設機械の移動先位置情報で置き換えて建設機械情報を更新する。これによって、建設機械が移動されたときに、建設機械情報の現在位置情報を自動的に更新して、建設機械の最新の所在地を管理することが可能となる。
【００５５】
制御装置１０４は、受信した建設機械情報に含まれる状態情報が災害活動態を示す情報である場合には、上述した災害活動用画面上で操作者から災害活動報告情報の入力を受け付ける。災害活動報告情報は、災害の規模や活動の困難性を示す活動レベルを示す情報や、担当者によって入力されたテキストデータが含まれる。
【００５６】
また、制御装置１０４は、災害活動用画面上で操作者から撮影指示を受け付けると、カメラ１０５を起動してユーザーに災害現場の写真を撮影するように促す。制御装置１０４は、ユーザーによって災害現場の写真が撮影されると、その画像データをメモリに記録する。
【００５７】
制御装置１０４は、入力された災害活動報告情報、災害現場の画像データ、災害活動に利用している建設機械の建設機械ＩＤを含んだ更新情報を受付サーバ２００へ送信する。
【００５８】
受付サーバ２００では、制御装置２０２は、携帯端末１００から受信した更新情報を建設機械管理装置３００へ送信する。建設機械管理装置３００では、制御装置３０２は、受付サーバ２００から更新情報を受信すると、建設機械情報データベースに記録されている建設機械情報の中から建設機械ＩＤが更新情報に含まれる建設機械ＩＤと一致する建設機械情報を特定し、特定した建設機械情報の建設機械に関する情報に含まれる建設機械に関する画像データと建設機械に関して報告された報告データを、それぞれ更新情報に含まれる災害現場の画像データと災害活動報告情報で更新する。これによって、災害活動に利用されている建設機械の最新の情報を管理することが可能となる。
【００５９】
本実施の形態における建設機械管理システム１０では、建設機械情報は、管理者端末４００からも確認することが可能である。ここで、管理者端末４００から建設機械情報を閲覧するための処理について説明する。管理者端末４００の操作者は、操作部材４０１を操作して、表示装置４０５に建設機械情報を閲覧するため閲覧画面を表示させることができる。制御装置４０３は、閲覧画面上で操作者によって建設機械ＩＤが指定されると、指定された建設機械ＩＤを建設機械管理装置３００へ送信する。なお、操作者による建設機械ＩＤの指定方法は限定されないが、例えば、操作者は、キーボードを操作して、閲覧画面内に設けられた入力欄に建設機械ＩＤを入力してもよいし、マウスを操作して、閲覧画面内に表示された建設機械ＩＤ一覧の中から特定の建設機械ＩＤを選択してもよい。
【００６０】
建設機械管理装置３００では、制御装置３０３は、管理者端末４００から受信した建設機械ＩＤに基づいて、記憶媒体３０３に記録されている建設機械情報データベースから、該当する建設機械ＩＤの建設機械情報を読み出し、管理者端末４００へ送信する。
【００６１】
管理者端末４００では、制御装置４０３は、受信した建設機械情報を表示装置４０５に表示する。これによって、管理者端末４００の操作者は、建設機械ＩＤ指定することによって、該当する建設機械の建設機械情報を把握することができる。なお、この場合も、携帯端末１００と同様に、制御装置４０３は、建設機械に関する情報に含まれる現在位置情報や移動先位置情報を表示するに当たっては、位置を示す緯度経度情報に基づいて、建設機械の現在位置周辺または移動先周辺の地図データを取得し、地図上に建設機械の現在位置や移動先を示すマークを表示するようにしてもよい。これによって、操作者は、地図上で建設機械の現在位置や移動先を確認することができる。
【００６２】
管理者端末４００の操作者はまた、管理者端末４００を操作して、上述した状態情報の変更を指示することができる。例えば、建設機械の利用が終了し、配置場所へ搬入する場合には、操作者は、搬入を行う担当者に建設機械の搬入作業を指示するとともに、管理者端末４００を操作して、その建設機械の建設機械ＩＤに紐づく状態情報を搬入状態を示す情報に変更するように指示することができる。
【００６３】
この場合、管理者端末４００の操作者は、搬入対象とする建設機械の建設機械情報を表示装置４０５に表示させ、その建設機械の状態情報を搬入状態を示す情報に変更する。制御装置４０３は、操作者によって状態情報の変更が指示されると、建設機械ＩＤと状態情報の変更内容を示す情報とを含んだ変更情報を建設機械管理装置３００へ送信する。
【００６４】
建設機械管理装置３００では、制御装置３０２は、管理者端末４００から変更情報を受信すると、受信した変更情報に基づいて、状態情報の変更が指示された建設機械の建設機械ＩＤと状態情報の変更内容を特定する。そして、制御装置３０２は、記憶媒体３０２に記録されている建設機械情報のうち、建設機械ＩＤが一致する建設機械情報の状態情報を
搬入状態に変更する。これによって、搬入先の配置場所では、配置場所に配備されている携帯端末１００を用いて、建設機械に貼付されている二次元バーコードを読み取ることにより、上述した搬入時の処理を行うことができる。
【００６５】
建設機械を利用するために、建設機械を配置場所から搬出する場合には、操作者は、搬出を行う担当者に建設機械の搬出作業を指示するとともに、管理者端末４００を操作して、その建設機械の建設機械ＩＤに紐づく状態情報を搬出状態を示す情報に変更するように指示することができる。
【００６６】
この場合、管理者端末４００の操作者は、搬出対象とする建設機械の建設機械情報を表示装置４０５に表示させ、その建設機械の状態情報を搬出状態を示す情報に変更する。制御装置４０３は、操作者によって状態情報の変更が指示されると、建設機械ＩＤと状態情報の変更内容を示す情報とを含んだ変更情報を建設機械管理装置３００へ送信する。
【００６７】
建設機械管理装置３００では、制御装置３０２は、管理者端末４００から変更情報を受信すると、受信した変更情報に基づいて、状態情報の変更が指示された建設機械の建設機械ＩＤと状態情報の変更内容を特定する。そして、制御装置３０２は、記憶媒体３０２に記録されている建設機械情報のうち、建設機械ＩＤが一致する建設機械情報の状態情報を
搬出状態に変更する。これによって、搬出元の配置場所では、配置場所に配備されている携帯端末１００を用いて、建設機械に貼付されている二次元バーコードを読み取ることにより、上述した搬出時の処理を行うことができる。
【００６８】
建設機械を現在の配置場所から別の配置場所へ移動させる場合には、操作者は、移動を行う担当者に建設機械の移動作業を指示するとともに、管理者端末４００を操作して、その建設機械の建設機械ＩＤに紐づく状態情報を移動指示状態を示す情報に変更するように指示することができる。
【００６９】
この場合、管理者端末４００の操作者は、移動対象とする建設機械の建設機械情報を表示装置４０５に表示させ、その建設機械の状態情報を移動指示状態を示す情報に変更する。また、移動先とする配置場所を地図上で指定する。制御装置４０３は、操作者によって状態情報の変更が指示されると、指定された移動先位置情報を特定し、建設機械ＩＤと状態情報の変更内容を示す情報と特定した移動先位置情報とを含んだ変更情報を建設機械管理装置３００へ送信する。
【００７０】
建設機械管理装置３００では、制御装置３０２は、管理者端末４００から変更情報を受信すると、受信した変更情報に基づいて、状態情報の変更が指示された建設機械の建設機械ＩＤと状態情報の変更内容と移動先位置情報を特定する。そして、制御装置３０２は、記憶媒体３０２に記録されている建設機械情報のうち、建設機械ＩＤが一致する建設機械情報の状態情報を移動指示状態に変更するとともに、建設機械に関する情報に含まれる移動先位置情報に変更情報に含まれる移動先位置情報を登録する。これによって、移動が指示された担当者は、配置場所に配備されている携帯端末１００を用いて、建設機械に貼付されている二次元バーコードを読み取ることにより、上述した移動指示時の処理を行うことができる。
【００７１】
また、建設機械を災害活動に利用する場合には、操作者は、災害活動を行う担当者に建設機械の災害活動への利用を指示するとともに、管理者端末４００を操作して、その建設機械の建設機械ＩＤに紐づく状態情報を災害活動状態を示す情報に変更するように指示することができる。
【００７２】
建設機械を災害活動に利用する場合には、操作者は、災害活動の担当者に建設機械の災害活動への利用を指示するとともに、管理者端末４００を操作して、その建設機械の建設機械ＩＤに紐づく状態情報を災害活動状態を示す情報に変更するように指示することができる。
【００７３】
この場合、管理者端末４００の操作者は、災害活動に利用する建設機械の建設機械情報を表示装置４０５に表示させ、その建設機械の状態情報を災害活動状態を示す情報に変更する。制御装置４０３は、操作者によって状態情報の変更が指示されると、建設機械ＩＤと状態情報の変更内容を示す情報とを含んだ変更情報を建設機械管理装置３００へ送信する。
【００７４】
建設機械管理装置３００では、制御装置３０２は、管理者端末４００から変更情報を受信すると、受信した変更情報に基づいて、状態情報の変更が指示された建設機械の建設機械ＩＤと状態情報の変更内容とを特定する。そして、制御装置３０２は、記憶媒体３０２に記録されている建設機械情報のうち、建設機械ＩＤが一致する建設機械情報の状態情報を災害活動状態に変更する。これによって、災害活動への利用が指示された担当者は、配置場所に配備されている携帯端末１００を用いて、建設機械に貼付されている二次元バーコードを読み取ることにより、上述した災害活動時の処理を行うことができる。
【００７５】
本実施の形態では、建設機械管理装置３００の制御装置３０２は、状態情報が移動指示状態または災害活動状態へ変更するように指示された場合には、指示内容を記載した電子メールを、指示先の形態端末１００へ送信する。送信先とするメールアドレスは、携帯端末１００ごとにあらかじめ設定されているものとする。これによって、建設機械の移動や災害活動への利用が指示された場合には、建設機械が配置されている配置場所の担当者は、事前に指示内容を把握することができる。
【００７６】
図６は、本実施の形態における携帯端末１００で実行される処理の流れを示すフローチャートである。図６に示す処理は、携帯端末１００上で上述した携帯端末用ソフトウェアの実行が指示されると起動するプログラムとして、制御装置１０４によって実行される。
【００７７】
ステップＳ１０において、制御装置１０４は、ユーザーによって二次元バーコードの読み取りが指示されたか否かを判断する。ステップＳ１０で肯定判断した場合には、ステップＳ２０へ進む。
【００７８】
ステップＳ２０では、制御装置１０４は、カメラ１０５から入力される画像データ内から二次元バーコードを認識することにより、二次元バーコードを読み取る。その後、ステップＳ３０へ進む。
【００７９】
ステップＳ３０では、制御装置１０４は、ステップＳ２０で読み取った二次元バーコードが示すデータに変換することにより、上述したように、受付サーバ２００へアクセスするためのＵＲＬ情報と、二次元バーコードが貼られていた建設機械の建設機械ＩＤを特定する。その後、ステップＳ４０へ進む。
【００８０】
ステップＳ４０では、制御装置１０４は、上述したように、二次元バーコードのデータに基づいて特定したＵＲＬ情報に基づいて受付サーバ２００にアクセスし、ログイン画面上で入力されたログインＩＤとパスワードを受付サーバ２００へ送信することにより、ログイン処理を行う。ここでは、ログインに成功したものとして、ステップＳ５０へ進む。
【００８１】
ステップＳ５０では、制御装置１０４は、ステップＳ３０で特定した建設機械ＩＤを受付サーバ２００へ送信する。その後、ステップＳ６０へ進む。
【００８２】
ステップＳ６０では、制御装置１０４は、受付サーバ２００から上述した建設機械情報を受信したか否かを判断する。ステップＳ６０で肯定判断した場合には、ステップＳ７０へ進む。
【００８３】
ステップＳ７０では、制御装置１０４は、受信した建設機械情報をタッチパネル１０１に表示する。このとき、制御装置４０１は、上述したように、受信した建設機械情報に含まれる状態情報に基づいて表示画面を切り替えるための処理を行って、状態情報に応じた表示画面を表示する。その後、ステップＳ８０へ進む。
【００８４】
ステップＳ８０では、制御装置１０４は、上述したように、受信した建設機械情報に含まれる状態情報に応じて、建設機械に関する情報を更新するための処理を行う。その後、ステップＳ９０へ進む。
【００８５】
ステップＳ９０では、制御装置１０４は、ユーザーによって、携帯端末用ソフトウェアの終了が指示されたか否かを判断する。ステップＳ９０で否定判断した場合には、ステップＳ１０へ戻る。これに対して、ステップＳ９０で肯定判断した場合には、処理を終了する。
【００８６】
図７は、本実施の形態における受付サーバ２００で実行される処理の流れを示すフローチャートである。図７に示す処理は、携帯端末１００から建設機械ＩＤを受信すると起動ずるプログラムとして、制御装置２０２によって実行される。なお、図７の処理では、既に携帯端末１００のユーザーのログイン処理は完了しているものとする。
【００８７】
ステップＳ１１０において、制御装置２０２は、上述したように、携帯端末１００から受信した建設機械ＩＤを建設機械管理装置３００へ送信する。その後、ステップＳ１２０へ進む。
【００８８】
ステップＳ１２０では、制御装置２０２は、建設機械管理装置３００から建設機械情報を受信したか否か判断する。ステップＳ１２０で肯定判断した場合には、ステップＳ１３０へ進む。
【００８９】
ステップＳ１３０では、制御装置２０２は、建設機械管理装置３００から受信した建設機械情報を携帯端末１００へ送信する。その後、ステップＳ１４０へ進む。
【００９０】
ステップＳ１４０では、制御装置２０２は、携帯端末１００から上述した更新情報を受信したか否かを判断する。ステップＳ１４０で肯定判断した場合には、ステップＳ１５０へ進む。
【００９１】
ステップＳ１５０では、制御装置２０２は、携帯端末１００から受信した更新情報を建設機械管理装置３００へ送信する。その後、処理を終了する。
【００９２】
図８は、本実施の形態における建設機械管理装置３００で実行される第一の処理の流れを示すフローチャートである。図８に示す処理は、受付サーバ２００から建設機械ＩＤを受信すると起動ずるプログラムとして、制御装置３０２によって実行される。なお、図８の処理では、既に携帯端末１００のユーザーのログイン処理は完了しているものとする。
【００９３】
ステップＳ２１０において、制御装置３０２は、記憶媒体３０３に記録されている建設機械情報データベースを参照して、受付サーバ２００から受信した建設機械ＩＤに基づいて、その建設機械の建設機械情報を特定し、読み出す。その後、ステップＳ２２０へ進む。
【００９４】
ステップＳ２２０では、制御装置３０２は、ステップＳ２１０で読み出した建設機械情報を受付サーバ２００へ送信する。その後、ステップＳ２３０へ進む。
【００９５】
ステップＳ２３０では、制御装置３０２は、受付サーバ２００から上述した更新情報を受信したか否かを判断する。ステップＳ２３０で肯定判断した場合には、ステップＳ２４０へ進む。
【００９６】
ステップＳ２４０では、制御装置３０２は、上述したように、建設機械情報データベースに記録されている建設機械情報の中から建設機械ＩＤが更新情報に含まれる建設機械ＩＤと一致する建設機械情報を特定し、特定した建設機械情報を、受信した更新情報を用いて更新する。その後、処理を終了する。
【００９７】
図９は、本実施の形態における建設機械管理装置３００で実行される第二の処理の流れを示すフローチャートである。図９に示す処理は、管理者端末４００から建設機械ＩＤを受信すると起動ずるプログラムとして、制御装置３０２によって実行される。
【００９８】
ステップＳ３１０において、制御装置３０２は、記憶媒体３０３に記録されている建設機械情報データベースを参照して、管理者端末４００から受信した建設機械ＩＤに基づいて、その建設機械の建設機械情報を特定し、読み出す。その後、ステップＳ３２０へ進む。
【００９９】
ステップＳ３２０では、制御装置３０２は、ステップＳ３１０で読み出した建設機械情報を管理者端末４００へ送信する。その後、ステップＳ３３０へ進む。
【０１００】
ステップＳ３３０では、制御装置３０２は、管理者端末４００から上述した変更情報を受信したか否かを判断する。ステップＳ３３０で肯定判断した場合には、ステップＳ３４０へ進む。
【０１０１】
ステップＳ３４０では、制御装置３０２は、上述したように、建設機械情報データベースに記録されている建設機械情報の中から建設機械ＩＤが変更情報に含まれる建設機械ＩＤと一致する建設機械情報を特定し、特定した建設機械情報の状態情報を、受信した変更情報に基づいて更新する。その後、処理を終了する。
【０１０２】
図１０は、本実施の形態における管理者端末４００で実行される処理の流れを示すフローチャートである。図１０に示す処理は、管理者端末４００上で、建設機械管理システム１０を利用するためのアプリケーションの実行が指示されると起動するプログラムとして、制御装置４０３によって実行される。
【０１０３】
ステップＳ４１０において、制御装置４０３は、上述したように、表示装置４０５に表示された閲覧画面上で操作者によって建設機械ＩＤが指定されたか否かを判断する。ステップＳ４１０で肯定判断した場合には、ステップＳ４２０へ進む。
【０１０４】
ステップＳ４２０では、制御装置４０３は、指定された建設機械ＩＤを建設機械管理装置３００へ送信する。その後、ステップＳ４３０へ進む。
【０１０５】
ステップＳ４３０では、制御装置４０３は、建設機械管理装置３００から建設機械情報を受信したか否かを判断する。ステップＳ４３０で肯定判断した場合には、ステップＳ４４０へ進む。
【０１０６】
ステップＳ４４０では、制御装置４０３は、建設機械管理装置３００から受信した建設機械情報を表示装置４０５に表示する。その後、ステップＳ４５０へ進む。
【０１０７】
ステップＳ４５０では、制御装置４０３は、表示装置４０５に建設機械情報が表示されている建設機械に対して、状態情報の変更が指示されたか否かを判断する。ステップＳ４５０で肯定判断した場合には、ステップＳ４６０へ進む。
【０１０８】
ステップＳ４６０では、制御装置４０３は、上述したように、状態情報の変更が指示された建設機械の建設機械ＩＤと、状態情報の変更内容を示す情報とを含んだ変更情報を建設機械管理装置３００へ送信する。その後、処理を終了する。
【０１０９】
以上説明した本実施の形態によれば、以下のような作用効果を得ることができる。
（１）建設機械管理システム１０では、建設機械管理装置３００は、建設機械を一意に特定するための識別情報である建設機械ＩＤと、建設機械に関する情報と、建設機械の状態を示す状態情報を含んだ建設機械情報を記録した記憶媒体３０３を備え、制御装置３０２は、携帯端末１００で読み取られた二次元バーコードに基づいて特定された建設機械ＩＤに基づいて建設機械情報を特定し、携帯端末１００へ送信するようにした。携帯端末１００では、制御装置１０４は、建設機械管理装置３００から受信した建設機械情報に含まれる状態情報に基づいて建設機械の状態を特定し、特定した建設機械の状態に応じた建設機械に関する情報を更新するための更新情報を建設機械管理装置３００へ送信するようにした。建設機械管理装置３００では、制御装置３０２は、携帯端末１００から受信した更新情報を用いて、建設機械に関する情報を更新するようにした。これによって、建設機械の状態に応じた建設機械に関する情報の更新が可能となる。
【０１１０】
（２）建設機械の状態は、建設機械が搬入されることを示す搬入状態、建設機械が搬出されることを示す搬出状態、建設機械の他の所在地への移動が指示されたことを示す移動指示状態、建設機械が災害活動に利用されていることを示す災害活動状態を含むようにした。これによって、これらの各状態に応じた建設機械に関する情報の更新が可能となる。
【０１１１】
（３）建設機械の状態が搬入状態である場合には、建設機械が搬入された場所の位置情報と、搬入時に建設機械を撮像した画像データとを更新情報として、建設機械に関する情報を更新するようにした。これによって、建設機械が配置場所に搬入されたときに、建設機械情報に搬入場所の位置情報と搬入時の画像データを追加して、建設機械の最新の所在地と画像を管理することが可能となる。
【０１１２】
（４）建設機械の状態が搬出状態である場合には、建設機械が搬出された場所の位置情報と、搬出時に建設機械を撮像した画像データとを更新情報として、建設機械に関する情報を更新するようにした。これによって、建設機械が配置場所から搬出されるときに、建設機械情報に搬出場所の位置情報と搬出時の画像データを追加して、建設機械の最新の所在地と画像を管理することが可能となる。
【０１１３】
（５）建設機械の状態が移動指示状態である場合には、建設機械の移動が指示された移動先の位置情報を更新情報として、建設機械に関する情報を更新するようにした。これによって、建設機械が移動されたときに、建設機械情報の現在位置情報を自動的に更新して、建設機械の最新の所在地を管理することが可能となる。
【０１１４】
（６）建設機械の状態が災害活動状態である場合には、建設機械を利用した災害活動内容が報告された災害活動報告情報を用いて、建設機械に関する情報を更新するようにした。これによって、災害活動に利用されている建設機械の最新の情報を管理することが可能となる。
【０１１５】
（７）管理者端末４００では、制御装置４０３は、建設機械の状態の変更指示を受け付け、建設機械管理装置３００では、制御装置３０２は、管理者端末４００から設機械の状態の変更指示を受け付けたときに、建設機械情報に含まれる前記状態情報を変更するようにした。これによって、管理者は、管理者端末４００を操作して、建設機械ごとの状態情報を変更することができる。
【０１１６】
（８）携帯端末１００では、受付サーバ２００から受信した建設機械情報をタッチパネル１０１に表示するようにした。これによって、携帯端末１００のユーザーは、二次元バーコードを読み取った建設機械の情報を把握することができる。
【０１１７】
―変形例―
なお、上述した実施の形態の建設機械管理システムは、以下のように変形することもできる。
【０１１８】
（１）上述した実施の形態では、建設機械管理装置３００の制御装置３０２は、管理者端末４００から変更情報を受信して、状態情報を移動指示状態に変更するように指示された場合には、記憶媒体３０２に記録されている建設機械情報のうち、建設機械ＩＤが一致する建設機械情報の状態情報を移動指示状態に変更するとともに、建設機械に関する情報に含まれる移動先位置情報に変更情報に含まれる移動先位置情報を登録する例について説明した。そして、建設機械管理装置３００の制御装置３０２は、状態情報が移動指示状態へ変更するように指示された場合には、指示内容を記載した電子メールを、指示先の形態端末１００へ送信する例について説明した。状態情報を移動指示状態に変更するように指示された場合には、これに加えて、制御装置３０２は、建設機械の現在の配置場所から移動先までの距離を算出し、携帯端末１００へ送信するメールに、移動先までの距離の情報を含めるようにしてもよい。また、制御装置３０２は、建設機械の現在の配置場所から移動先までの距離を移動ルートを探索し、携帯端末１００へ送信するメールに、移動先までの移動ルートの情報を含めるようにしてもよい。また、建設機械の移動時における現在位置を特定し、現在位置に最も近い道路や河川のキロポストを特定し、特定したキロポストの情報を携帯端末１００や管理者端末４００へ送信して提示してもよい。
【０１１９】
（２）上述した実施の形態では、建設機械に関する情報には、建設機械の名称（機材名）、建設機械が利用される業務の名称（業務名）、建設機械の現在の所在地を示す現在位置情報、建設機械の移動が指示された場合に指定される移動先を示す移動先位置情報、建設機械に関する画像データ、建設機械に関して報告された報告データが含まれる例について説明した。しかしながら、建設機械に関する情報に含まれるデータはこれに限定されない。例えば、建設機械に関する画像データに加えて、建設機械を撮影した動画データや担当者からの建設機械に関する音声メッセージを録音した音声データなどを加えてもよい。
【０１２０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【０１２１】
１０  建設機械管理システム
１００  携帯端末
１０１  タッチパネル
１０２  通信モジュール
１０３  ＧＰＳモジュール
１０４  制御装置
１０５  カメラ
２００  受付サーバ
２０１  接続インターフェース
２０２  制御装置
２０３  記憶媒体
３００  建設機械管理装置
３０１  接続インターフェース
３０２  制御装置
３０３  記憶媒体
４００  管理者端末
４０１  操作部材
４０２  接続インターフェース
４０３  制御装置
４０４  記憶媒体
４０５  表示装置
【図１】
2018032134.tif 000003
【図２】
2018032134.tif 000004
【図３】
2018032134.tif 000005
【図４】
2018032134.tif 000006
【図５】
2018032134.tif 000007
【図６】
2018032134.tif 000008
【図７】
2018032134.tif 000009
【図８】
2018032134.tif 000010
【図９】
2018032134.tif 000011
【図１０】
2018032134.tif 000012